(57)【要約】【課題】簡単な構造で、使用者が片手で容易にロールペーパーを切り取ることができ、しかも、その動作の完了と同時に次の使用者のためのロールペーパーの把持部を準備することができるロールペーパーホルダとそのカバーを提供する。【解決手段】ロールペーパーを軸支する芯棒と、この芯棒の両端を保持する保持部と、保持部に回動可能に軸支されロールペーパーの上面を被覆する覆板とを有するロールペーパーホルダであって、覆板は、ロールペーパーを覆板の上面に導く長孔を有し、保持部に軸支されない側の端部をロールペーパーの上面から離れる方向に屈曲することによる。【選択図】  図１
2006326110.tif 000002
【特許請求の範囲】
【請求項１】
ロールペーパーを軸支する芯棒と、前記芯棒の両端を保持する保持部と、前記保持部に回動可能に軸支され前記ロールペーパーの上面を被覆する覆板とを有するロールペーパーホルダであって、
前記覆板は、前記ロールペーパーを覆板の上面に導く長孔を有し、前記保持部に軸支されない側の端部を前記ロールペーパーの上面から離れる方向に屈曲することを特徴とするロールペーパーホルダ。
【請求項２】
前記覆板は、前記端部の上面に凸状帯を有することを特徴とする請求項１に記載のロールペーパーホルダ。
【請求項３】
ロールペーパーを軸支する芯棒と、前記芯棒の両端を保持する保持部と、前記保持部に回動可能に軸支され前記ロールペーパーの上面を被覆する覆板とを有するロールペーパーホルダの前記覆板の少なくとも上面を被覆するロールペーパーホルダカバーであって、
前記ロールペーパーホルダカバーは、前記ロールペーパーをロールペーパーホルダカバーの上面に導く長孔を有し、前記覆板の保持部に軸支されない側のロールペーパーホルダカバーの端部は前記ロールペーパーの上面から離れる方向に屈曲することを特徴とするロールペーパーホルダカバー。
【請求項４】
前記ロールペーパーホルダカバーは、前記端部の上面に凸状帯を有することを特徴とする請求項３に記載のロールペーパーホルダカバー。
【発明の詳細な説明】
【技術分野】
【０００１】
本発明は、トイレや台所等において使用するロールペーパーを保持するためのロールペーパーホルダとそのカバーに関する。
【背景技術】
【０００２】
トイレや台所等において使用するロールペーパーを保持するためのロールペーパーホルダは一般に、ロールペーパーを軸支する芯棒と、前記芯棒の両端を保持する保持部と、ロールペーパーの上面を被覆する覆板とから構成されているが、このような従来のロールペーパーホルダから所望の長さのロールペーパーを切り取る場合、使用者は片手で所望の長さに引き出したロールペーパーを保持し、他方の手で覆板の上面を押さえ、そして、引き出したロールペーパーを上方に引き上げて覆板の端部で切り取る必要があり、この一連の作業には両手を使う必要があった。
【０００３】
このような課題に対処するため、いくつかの発明が開示されている。
たとえば、特許文献１には「トイレットペーパーホルダー」という名称で、作業者が片手でペーパーを引き出してカットすることができ、これと同時に次の使用者がペーパーをつまみ取れる分量の紙端を引き出した状態にすることができるトイレットペーパーホルダーに関する発明が開示されている。
【０００４】
以下、図７を参照しながら特許文献１にかかる発明について説明する。
図７（ａ）は従来技術にかかるトイレットペーパーホルダーの概念図であり、（ｂ）はその側面図である。
図７（ａ）に示すように、特許文献１にかかるトイレットペーパーホルダー１００は、ロールペーパー１０４を軸支する芯棒１０５の両端が保持部１０１により保持され、この保持部１０１の上端の設置面１０８側には、ロールペーパー１０４の上面を被覆し、ロールペーパー１０４の切取りを容易にする下蓋１０２及び上蓋１０３が軸支部１０７を基軸に回動可能に設けられており、この下蓋１０２と上蓋１０３の間からロールペーパー１０４の端部１０４ａを引き出すことができるよう構成されている。
また、特許文献１にかかるトイレットペーパーホルダー１００にロールペーパー１０４を装着するには、図７（ｂ）に示すように、まず、下蓋１０２及び上蓋１０３を設置面１０８側に跳ね上げて、上方から芯棒１０５を挿通したロールペーパー１０４を保持部１０１に設けられた溝１０６に沿うように落とし込む。
そして、ロールペーパー１０４の端部１０４ａを下蓋１０２に穿設された孔１０２ａから上方に引き出してから、上蓋１０３を図中の符号Ｊで示す方向に回動させることで、上蓋１０３の自重でロールペーパー１０４の端部１０４ａが孔１０２ａから落脱するのを防止することができる。
上記構成のトイレットペーパーホルダー１００によれば、図７（ａ）、（ｂ）中の符号Ｈで示す位置でロールペーパー１０４を切り取ることができ、切取りと同時に、次の使用者がロールペーパー１０４を引き出しやすいよう、図中の符号Ｉで示される長さのロールペーパー１０４を下蓋１０２の上面に残すことができる。
【０００５】
また、特許文献２には「トイレットペーパーホルダー」という名称で、片手で簡単に切りとることができ、かつ、次回使用時の把持用ペーパーも同時に確保することができるトイレットペーパーホルダーにかかる発明が開示されている。
特許文献２にかかる「トイレットペーパーホルダー」は、主にロールペーパーを軸支する芯棒と、この芯棒の両端を保持する保持部と、この保持部に軸支されロールペーパー上面を被覆する覆板により構成され、従来のトイレットペーパーホルダーにおいては、覆板の下面にロールペーパーの端部が配置されるのであるが、特許文献２にかかるトイレットペーパーホルダーにおいては、このロールペーパーの端部を、覆板を回動可能にする支軸とトイレットペーパーホルダーの設置面の隙間から覆板の上面側に引き出し、さらに、この引き出したロールペーパーを覆板の上面側に配置するものである。
そして、この覆板の支軸を有さない側の端部上面には、ロールペーパーを切断するための鋸刃状の刃が設けられ、また、覆板の裏面におけるロールペーパーとの接触部分には、ロールペーパーを切り取る際にロールペーパーの回転を止めるための帯状のストッパーが突設されており、使用者がロールペーパーの端部を引き下げるだけでロールペーパーが切り取れるように構成されている。
上記構成の特許文献２にかかるトイレットペーパーホルダーによれば、使用者は片手で簡単に所望の長さのロールペーパーを切り取ることができる。また、切取り作業が終了した直後のロールペーパーの端部は、覆板の上面側に配置されているため、次の使用者がロールペーパーを引き出す際はこの部分を把持すればよい。
【０００６】
【特許文献１】特開２００４−３２９７９８号公報
【特許文献２】特開２００４−２７５６５１号公報
【発明の開示】
【発明が解決しようとする課題】
【０００７】
しかしながら、上述の特許文献１に開示されるような従来のトイレットペーパーホルダー１００においては、使用中に万一、孔１０２ａからロールペーパー１０４の端部１０４ａが落脱した場合、その都度上蓋１０３を跳ね上げて下蓋１０２の孔１０２ａから端部１０４ａをつまみ出す必要があり、特にロールペーパー１０４の紙質が柔軟な場合には煩雑であった。
また、ペーパーを切り取るために端部１０４ａを引き下げた際、端部１０４ａの一部は孔１０２ａの端部にも接触するため、ロールペーパー１０４は図７（ｂ）中の符号Ｈの位置だけでなく、符号Ｋで示す位置でも切れる可能性があり、符号Ｋで示す位置で切れてしまった場合、やはり上述の手順に従って端部１０４ａをつまみ出す必要があった。さらに、符号Ｈで切れた場合でも次に使用する場合に、ロールペーパー１０４の端部１０４ａは下蓋１０２から浮き上がっておらず、ほぼ密着して存在しているため、指で少し上につまむようにしてロールペーパー１０４を引く必要があった。
特許文献１にかかるトイレットペーパーホルダー１００は、従来の芯棒と保持部と覆板から構成されるトイレットペーパーホルダーに比べ構成部材の数が多く、製造コストがかさむという課題もあった。
【０００８】
また、特許文献２に開示された「トイレットペーパーホルダー」においては、ロールペーパーの端部が覆板の上面側に配置されているため、ペーパーの表面に埃等が付着するおそれがあり衛生上好ましくないという課題があった。
さらに、ロールペーパーの逆動により、ペーパーの端部が簡単に覆板の上面から落脱してしまうので、その都度、覆板の支軸とトイレットペーパーホルダーの設置面との間からロールペーパーの端部をつまみ出す必要があり煩雑であった。
また、特許文献２に開示された「トイレットペーパーホルダー」においては効果を発揮させるための構造がすべて外部に露出しており、外観上の審美性に欠けるという課題もあった。
【０００９】
本発明はかかる従来の事情に対処してなされたものであり、その目的は簡単な構造で、使用者が片手で容易にロールペーパーを切り取ることができ、しかも、その動作の完了と同時に次の使用者のために簡単に利用可能なロールペーパーの把持部を準備することができるロールペーパーホルダとそのカバーを提供することにある。
【課題を解決するための手段】
【００１０】
本発明の請求項１に記載のロールペーパーホルダは、ロールペーパーを軸支する芯棒と、この芯棒の両端を保持する保持部と、保持部に回動可能に軸支されロールペーパーの上面を被覆する覆板とを有するロールペーパーホルダであって、覆板は、ロールペーパーを覆板の上面に導く長孔を有し、保持部に軸支されない側の端部をロールペーパーの上面から離れる方向に屈曲することを特徴とするものである。
上記構成のロールペーパーホルダにおいて、覆板に穿設される長孔は、覆板の下面側に配置されるロールペーパーの端部を覆板の上面側に導出するという作用を有する。また、覆板の保持部に軸支されない側の端部をロールペーパーの上面から離れる方向に屈曲することで、この部分に接触するロールペーパーに剪断力を付与するという作用を有する。また、この端部が屈曲されていることから、剪断後のロールペーパーは覆板との間で浮き上がって隙間を生じるという作用を有する。
【００１１】
また、請求項２に記載の発明であるロールペーパーホルダは、請求項１に記載のロールペーパーホルダであって、覆板は、端部の上面に凸状帯を有することを特徴とするものである。
上記構成のロールペーパーホルダにおいて、覆板の端部上面に設けられる凸状帯はロールペーパーに当接し、この当接部分に生じる剪断力を緩和すると同時に前述の浮き上がって隙間を生じるという作用を有する。
【００１２】
さらに、請求項３に記載の発明であるロールペーパーホルダカバーは、ロールペーパーを軸支する芯棒と、この芯棒の両端を保持する保持部と、保持部に回動可能に軸支されロールペーパーの上面を被覆する覆板とを有するロールペーパーホルダの覆板の少なくとも上面を被覆するロールペーパーホルダカバーであって、ロールペーパーホルダカバーは、ロールペーパーをロールペーパーホルダカバーの上面に導く長孔を有し、覆板の保持部に軸支されない側のロールペーパーホルダカバーの端部はロールペーパーの上面から離れる方向に屈曲することを特徴とするものである。
上記構成のロールペーパーホルダカバーにおいて、ロールペーパーホルダカバーに穿設される長孔及びロールペーパーホルダカバーの端部の屈曲は、請求項１に記載の発明における長孔及び屈曲と同じ作用を有する。
【００１３】
最後に、請求項４に記載のロールペーパーホルダカバーは、請求項３に記載のロールペーパーホルダカバーであって、ロールペーパーホルダカバーの端部の上面に凸状帯を有することを特徴とするものである。
上記構成のロールペーパーホルダカバーにおける凸状帯は、請求項２に記載の発明の凸状帯と同じ作用を有する。
【発明の効果】
【００１４】
本発明の請求項１及び請求項２に記載の発明であるロールペーパーホルダにおいては、所望の長さのロールペーパーを引き出した後、使用者は引き出したロールペーパーを片手で引き下げるだけで、覆板の端部で確実にロールペーパーをカットすることができる。
また、上記構成のロールペーパーホルダによれば、次の使用者がロールペーパーを把持するために最低限必要な長さのロールペーパーが長孔から露出し、他の部分は覆板によって確実に被覆されるため、ロールペーパーの露出部分に埃等が付着して不衛生になる心配が少ない。さらに、ロールペーパーの露出部分は覆板から浮き上がって隙間を生じているため、次の使用者は容易につまんでカットすることができる。
また、構造がシンプルであることから、ロールペーパーホルダを審美性が高く高機能でかつ安価なものにすることができる。
【００１５】
本発明の請求項３又は請求項４に記載の発明であるロールペーパーホルダカバーは、請求項１又は請求項２に記載の発明であるロールペーパーホルダにおける覆板と同じ効果を有するものである。
また、本発明の請求項３又は請求項４に記載の発明であるロールペーパーホルダカバーは、芯棒，保持部，覆板から構成される従来のロールペーパーホルダに、着脱可能に装着することができ、これにより、従来のロールペーパーホルダに、請求項１又は請求項２に記載の発明であるロールペーパーホルダにおける覆板の効果と同じ効果を付与することができる。
【発明を実施するための最良の形態】
【００１６】
以下に本発明の実施の形態に係るロールペーパーホルダについて、実施例１及び実施例２を挙げて説明する。（特に請求項１又は請求項２に対応）
【実施例１】
【００１７】
まず、実施例１に係るロールペーパーホルダについて図１を参照しながら説明する。
図１（ａ）は本発明に係るロールペーパーホルダの実施例１の使用状態図であり、（ｂ）は符号Ａ−Ａ線における矢視断面図である。
図１（ａ）に示すように、本発明の実施例１に係るロールペーパーホルダ１ａは、ロールペーパー８を軸支する芯棒２の両端が保持部３により着脱可能に保持され、この保持部３の上端の設置面２０側には、軸支部５の支軸５ａにより回動可能に軸支される覆板４ａが設けられておりロールペーパー８の上面を被覆している。
また、覆板４ａの支軸５ａが設けられない側の端部７ａの近傍には、ロールペーパー８の端部８ａを覆板４ａの上面側に導くための長孔６が穿設され、さらに、この端部７ａは、図１（ｂ）に示すように長孔６の下端６ｂを基線に、ロールペーパー８の上面から離れる方向、すなわち、図中の符号Ｌで示す方向に屈曲している。
このように覆板４ａを構成することで、長孔６から覆板４ａの上面側に導出されるロールペーパー８は切断部１９で覆板４ａとはじめて接触し、使用者がロールペーパー８の端部８ａを下方に引き下げると、切断部１９で容易に切断されるのである。
このように、ロールペーパー８を切断部１９で確実に切断できるので、切断作業後、端部７ａの上面には常にロールペーパー８の端部８ａを残したままにすることができる。このため、次の使用者は端部７ａの上側に隙間を形成しながら残ったロールペーパー８の端部８ａを把持することで容易にロールペーパー８を引き出すことができるのである。
また、端部７ａの上側に残るロールペーパー８の長さは、次の使用者がロールペーパー８を引き出すために最低限必要な長さであり、埃等の付着による衛生上の問題も最小限にすることができる。
【００１８】
次に、上記構成の覆板４ａによりロールペーパー８が確実に覆板４ａの切断部１９で切断される仕組みについて説明する。
いま、図１（ｂ）に示すように、本発明の実施例１にかかるロールペーパーホルダ１ａの覆板４ａは、図中の符号Ｃで示す位置で、符号Ｌで示す方向に屈曲しており、長孔６の上端６ａ（点Ｍ），下端６ｂ（点Ｃ），切断部１９（点Ｄ）を直線で結ぶと三角形ＭＣＤが形成される。このとき、長孔６から導出されるロールペーパー８が切断部１９に接触するまでに通過する軌跡は、直線ＭＤと略一致するため、長孔６から導出されたロールペーパー８は切断部１９以外の場所で覆板４ａと接触することがない。従って、使用者がロールペーパー８の端部８ａを下方に引き下げるとロールペーパー８は切断部１９で確実に切断されるのである。
このように、ロールペーパーホルダ１ａの断面図において、長孔６の上端６ａと下端６ｂ、そして切断部１９の位置関係が三角形を成すよう構成することで、ロールペーパー８を切断部１９で確実に切断することができる。また、ロールペーパー８が切断された後にも覆板４ａとの間に隙間を生じて浮き上がった状態となり、次の使用者によってロールペーパー８の端部８ａがつまみ易くなるのである。
【実施例２】
【００１９】
次に、実施例２に係るロールペーパーホルダについて図２を参照しながら説明する。
図２（ａ）は本発明に係るロールペーパーホルダの実施例２の使用状態図であり、（ｂ）は符号Ｂ−Ｂ線における矢視断面図である。なお、図１に記載されたものと同一部分については同一符号を付し、その構成についての説明は省略する。
図２（ａ），（ｂ）に示すように本実施例にかかるロールペーパーホルダ１ｂは、実施例１にかかるロールペーパーホルダ１ａと同じ効果を有するものであるが、その構成は、長孔６の下端６ｂ近傍に凸状帯９が設けられる点と、覆板４ｂの支軸５ａが設けられない側の端部７ｂが図中の符号Ｎの位置で、符号Ｌで示す方向に屈曲する点がロールペーパーホルダ１ａとは異なる。
【００２０】
図２（ｂ）に示すように、ロールペーパーホルダ１ｂにかかる覆板４ｂは、図中の符号Ｎの位置で、符号Ｌで示す方向に屈曲している。
このため、仮に長孔６の下端６ｂ近傍に凸状帯９を設けない場合、使用者がロールペーパー８を切り取ろうとしてロールペーパー８の端部８ａを下方に引き下げると、ロールペーパー８は切断部１９ではなく長孔６の下端６ｂで切断されるおそれがある。
そして、万一長孔６の下端６ｂでロールペーパー８が切断された場合、ロールペーパー８の端部は長孔６から簡単に脱落してしまい、この結果、次の使用者はロールペーパー８を容易に引き出すことができなくなってしまうのである。
そこで、実施例２にかかるロールペーパーホルダ１ｂにおいては、長孔６の下端６ｂ近傍に凸状帯９を設け、長孔６から導出されるロールペーパー８が長孔６の下端６ｂの角張った部分に接触するのを防止しているのである。
また、この場合、ロールペーパー８と接触する凸状帯９の頂部、すなわち、図中の符号Ｅで示す部分の形状は、使用者がロールペーパー８の端部８ａを引き下げた際、凸状帯９の頂部に生じる剪断力が最小となるよう、滑らかな曲面にすることが好ましい。また、この凸状帯９は長孔６の下端６ｂを切断部１９側に単に折り曲げたものでもよく、この場合も、やはり凸状帯９の頂部の形状を滑らかな曲面にすることが好ましい。
他方、長孔６の下端６ｂの角張った部分に面取り加工を施し、この部分を滑らかな曲面に形成した場合は、必ずしも凸状帯９を設けなくともよい。  
このように、実施例２にかかるロールペーパーホルダ１ｂにおいては、図２（ｂ）中の符号Ｎで示す位置において覆板４ｂを屈曲し、さらに、長孔６の下端６ｂ近傍に凸状帯９を設けるか或いは、下端６ｂを滑らかな曲面で構成することで、ロールペーパー８を切断部１９で確実に切断することができるのである。
このため、次の使用者がロールペーパー８を引き出し易いよう常に、端部７ｂの上面にロールペーパー８の端部８ａを準備することができるのである。なお、凸状帯９は、ロールペーパー８の切断後に、ロールペーパー８が覆板４ｂの端部７ｂから浮き上がって隙間を形成することにも寄与する。隙間を形成させることによって、次の使用者がロールペーパー８の端部８ａを容易につまむことができるのである。
【００２１】
以下に本発明の実施の形態に係るロールペーパーホルダカバーについて、実施例３乃至実施例６を挙げながら説明する。（特に請求項３又は請求項４に対応）
本発明の実施の形態に係るロールペーパーホルダカバーは、ロールペーパーを保持するロールペーパーホルダの覆板に着脱可能に装着され、従来のロールペーパーホルダに対して、実施例１又は実施例２のロールペーパーホルダに係る効果と同一の効果を発揮させ得るものである。
【実施例３】
【００２２】
まず、実施例３に係るロールペーパーホルダカバーについて図３を参照しながら説明する。
図３は本発明の第３実施例に係るロールペーパーホルダカバーの概念図である。なお、図１又は図２に記載されたものと同一部分については同一符号を付し、その構成についての説明は省略する。
図３に示すように、ロールペーパーホルダ２１の覆板４に着脱可能に覆設されるロールペーパーホルダカバー１０ａは、一枚板状のカバー本体１１ａの端部１４がロールペーパーホルダ２１の軸支部５に掛着可能に湾曲し、他の端部１３ａ近傍は、実施例１にかかる覆板４ａの端部７ａ近傍と同じ構造になっている。すなわち、カバー本体１１ａの端部１３ａ近傍には、ロールペーパー８の端部８ａをカバー本体１１ａの上面側に導出するための長孔１２が穿設され、この長孔１２の下端１２ｂ側の端部１３ａは、下端１２ｂを基線にロールペーパー８から離れる方向へ屈曲している。さらに、実施例３にかかるロールペーパーホルダカバー１０ａのカバー本体１１ａ上面には、側壁１５ａが設けられ、屈曲部分の強度を補っている。
上記構成の、カバー本体１１ａをロールペーパーホルダ２１に装着するには、ロールペーパーホルダカバー１０ａの端部１４を、図３中の符号Ｇで示す位置に差し込んで軸支部５に掛着し、覆板４の上面側を被覆するように装着する。そして、覆板４の下面側に配置されるロールペーパー８の端部８ａを、図中の符号Ｐに沿ってカバー本体１１ａに穿設される長孔１２からカバー本体１１ａの上面に導出すればよい。
このように、ロールペーパーホルダ２１にロールペーパーホルダカバー１０ａを装着することにより、ロールペーパーホルダ２１の覆板４に実施例１にかかる覆板４ａと同じ作用及び効果を付与することができる。
なお、本実施例では、側壁１５ａをカバー本体１１ａ上面側に形成したが、下面側に形成してもよい。また、カバー本体１１ａやその端部１３ａの強度が十分である場合には側壁１５ａを設けなくともよい。
【実施例４】
【００２３】
次に、実施例４に係るロールペーパーホルダカバーについて図４を参照しながら説明する。
図４は本発明の実施例４に係るロールペーパーホルダカバーの概念図である。なお、図１乃至図３に記載されたものと同一部分については同一符号を付し、その構成についての説明は省略する。また、ロールペーパーホルダカバー１０ｂの装着方法及び使用方法は、実施例３にかかるロールペーパーホルダカバー１０ａと同じである。
図４に示すロールペーパーホルダカバー１０ｂは、本発明の実施例３に係るロールペーパーホルダカバー１０ａと同じ作用及び効果を有するものであるが、側壁１５ａの代わりに、カバー本体１１ｂの端部１３ｂ部分に補助板１６を備える点が異なる。
つまり、ロールペーパーホルダカバー１０ａにおいては、屈曲部分に側壁１５ａを設け、この部分の剛性を高めることで端部７ａ部分の破損を防止しているのであるが、ロールペーパーホルダカバー１０ｂにおいては、カバー本体１１ｂを折り曲げ可能な柔軟な素材で構成する場合を想定しており、このような素材でカバー本体１１ｂを構成した場合、ロールペーパー８を切り取るために使用者がロールペーパー８の端部８ａを引き下げると、ロールペーパー８により端部１３ｂを押し下げる力が生じ、この結果、端部１３ｂ周辺の屈曲が押し広げられてしまう。
そこで、端部１３ｂの下面側に補助板１６を設けることにより、補助板１６の一部がロールペーパー８本体に接触して端部１３ｂ周辺の屈曲が押し広げられるのを防止することができる。
したがって、たとえば、弾性を有するゴム等の素材でカバー本体１１ｂを構成した場合であっても切断部１９でロールペーパー８を確実に切断することができるのである。
【実施例５】
【００２４】
続いて、実施例５に係るロールペーパーホルダカバーについて図５を参照しながら説明する。
図５は本発明の実施例５に係るロールペーパーホルダカバーの概念図である。なお、図１乃至図４に記載されたものと同一部分については同一符号を付し、その構成についての説明は省略する。また、本実施例に係るロールペーパーホルダカバー１０ｃは、本発明の実施例２に係るロールペーパーホルダ１ｂの覆板４ｂと同じ作用及び効果を有するものであり、その装着方法及び使用方法は、実施例３に係るロールペーパーホルダカバー１０ａと同じである。
図５に示すように、本実施例に係るロールペーパーホルダカバー１０ｃは、カバー本体１１ｃの端部１３ｃ近傍は、実施例２に係る覆板４ｂの端部７ｂの周辺と同じ構造になっている。
つまり、カバー本体１１ｃの端部１３ｃ周辺部には、ロールペーパー８の端部８ａを導出するための長孔１２が穿設され、この長孔１２の下端１２ｂ近傍にはロールペーパー８に作用する剪断力を緩和する凸状帯１７が設けられている。さらに、端部１３ｃは長孔１２の上端１２ａを基線に上方に向って屈曲している。
なお、図５中のカバー本体１１ｃにおける符号Ｑで示す部分は、カバー本体１１ｃを同一の素材、たとえば金属や合成樹脂等の素材を、単体で使用した場合には、使用者がロールペーパー８を切り取る際に常に力が作用するので特に破損しやすい。そこで、図中の符号Ｑで示される箇所については、たとえば、素材の厚みを厚くしたり、あるいは、カバー本体１１ｃを合成樹脂等で構成する場合には、たとえば、針金や金属板を埋め込む等の方法により補強することが好ましい。
これらの方法以外の方法であっても、図中の符号Ｑで示される部分の強度を補完するものであればその形態や、使用する素材は問題としない。
【実施例６】
【００２５】
続いて、実施例６に係るロールペーパーホルダカバーについて図６を参照しながら説明する。
図６は本発明の実施例６に係るロールペーパーホルダカバーの概念図である。なお、図１乃至図５に記載されたものと同一部分については同一符号を付し、その構成についての説明は省略する。また、本実施例に係るロールペーパーホルダカバー１０ｄは、本発明の実施例２に係るロールペーパーホルダ１ｂの覆板４ｂと同じ作用及び効果を有するものであり、その装着方法及び使用方法は、実施例３に係るロールペーパーホルダカバー１０ａと同じである。
図６に示すように、本実施例に係るロールペーパーホルダカバー１０ｄは、本発明の実施例５に係るロールペーパーホルダカバー１０ｃの側面に側壁１５ｂを備えたものであり、ロールペーパーホルダ２１の覆板４の回動を妨げないよう、端部１４と側壁１５ｂにより形成されるコーナー部分の側壁１５ｂ側にはスリット１８が設けられている。
このように、側壁１５ｂを設けることにより、ロールペーパー８の端部８ａを引き下げた際に、カバー本体１１ｄの屈曲部分が押し広げられて破損するのを防止することができる。
なお、側壁１５ｂの形状は、ロールペーパー８が使用された結果残り少なくなった場合に芯棒２に当接してカバー本体１１ｄが覆板から離れないように、芯棒２が当接する部分にスリットを形成して芯棒そのスリット内に導くなど工夫しておくとよい。
【００２６】
以上説明したように、実施例１乃至６に記載されるロールペーパーホルダ１ａ，１ｂ又はロールペーパーホルダカバー１０ａ〜１０ｄによれば、使用者は片手で簡単に所望の長さのロールペーパー８を切り取ることができ、この動作と同時に次の使用者のための把持用ペーパーも確実に準備することができる。また、把持用ペーパーを少し浮かせてつまみ易くすることができる。しかも、このような効果を発揮させるための構造は極めてシンプルであるため、ロールペーパーホルダ又はロールペーパーホルダカバーの形状を、審美性を備えたものにすることができる。
また、実施例３乃至４のロールペーパーホルダカバーに所望の図柄や模様をプリントすることで、ロールペーパーホルダを設置する場所との統一感を持たせたり、インテリア上のアクセントにすることもできる。さらに、実施例３乃至６に記載されるロールペーパーホルダカバーを袋状に構成し、覆板４の上面及び下面の両面を被覆するよう構成してもよい。
また、実施例３乃至４のロールペーパーホルダカバーは、必ずしも覆板４の軸支部５に掛着させる必要はなく、たとえば、実施例３乃至６のロールペーパーホルダカバーの端部１４に紐を設け、支軸５ａに結び付けてもよいし、覆板４の上面に貼り付けても良い。つまり、使用時に実施例３乃至６のロールペーパーホルダカバーが外れることがなければその装着方法は問題としない。
なお、実施例１乃至６においては、切断部１９の形状を直線状としたが、切断部１９は必ずしも直線状である必要はなく、たとえば切断部１９に鋸刃状の突起を多数設けても良い。さらに、実施例３乃至４におけるロールペーパーホルダカバーの端部１３ａ〜１３ｂを補強するための構成は、実施例１又は実施例２にかかるロールペーパーホルダ１ａ，１ｂの覆板４ａ，４ｂに設けてもよく、この場合、覆板４ａ，４ｂを強度の優れたものにすることができる。
【産業上の利用可能性】
【００２７】
本発明に係るロールペーパーホルダ又はロールペーパーホルダカバーは、ロール状に巻かれ、引きちぎることが可能な素材を切り取るための装置を提供するものである。特に、回巻されたシート状の素材を切り分けて使用するトイレ用品や台所用消耗品の分野において利用可能性が高い。
【図面の簡単な説明】
【００２８】
【図１】（ａ）は本発明に係るロールペーパーホルダの実施例１の使用状態図であり、（ｂ）は符号Ａ−Ａ線における矢視断面図である。
【図２】（ａ）は本発明に係るロールペーパーホルダの実施例２の使用状態図であり、（ｂ）は符号Ｂ−Ｂ線における矢視断面図である。
【図３】本発明の実施例３に係るロールペーパーホルダカバーの概念図である。
【図４】本発明の実施例４に係るロールペーパーホルダカバーの概念図である。
【図５】本発明の実施例５に係るロールペーパーホルダカバーの概念図である。
【図６】本発明の実施例６に係るロールペーパーホルダカバーの概念図である。
【図７】（ａ）従来技術に係るトイレットペーパーホルダーの概念図であり、（ｂ）はその側面図である。
【符号の説明】
【００２９】
１ａ，１ｂ…ロールペーパーホルダ  ２…芯棒  ３…保持部  ４，４ａ，４ｂ…覆板  ５…軸支部  ５ａ…支軸  ６…長孔  ６ａ…上端  ６ｂ…下端  ７ａ，７ｂ…端部  ８…ロールペーパー  ８ａ…端部  ９…凸状帯  １０ａ〜１０ｄ…ロールペーパーホルダカバー  １１ａ〜１１ｄ…カバー本体  １２…長孔  １２ａ…上端  １２ｂ…下端  １３ａ〜１３ｄ…端部  １４…端部  １５ａ，１５ｂ…側壁  １６…補助板  １７…凸状帯  １８…スリット  １９…切断部  ２０…設置面  ２１…ロールペーパーホルダ  １００…トイレットペーパーホルダー  １０１…保持部  １０２…下蓋  １０２ａ…孔  １０３…上蓋  １０４…ロールペーパー  １０４ａ…端部  １０５…芯棒  １０６…溝  １０７…軸支部  １０８…設置面
【図１】
2006326110.tif 000003
【図２】
2006326110.tif 000004
【図３】
2006326110.tif 000005
【図４】
2006326110.tif 000006
【図５】
2006326110.tif 000007
【図６】
2006326110.tif 000008
【図７】
2006326110.tif 000009
【手続補正書】
【提出日】平成17年9月12日(2005.9.12)
【手続補正１】
【補正対象書類名】特許請求の範囲
【補正対象項目名】全文
【補正方法】変更
【補正の内容】
【特許請求の範囲】
【請求項１】
ロールペーパーを軸支する芯棒と、前記芯棒の両端を保持する保持部と、前記保持部に回動可能に軸支され前記ロールペーパーの上面を被覆する覆板とを有するロールペーパーホルダであって、
前記覆板は、前記ロールペーパーを覆板の上面に導く長孔と、前記保持部に軸支されない側の端部に切断部とを備え、
前記覆板の切断部を備える端部は、前記ロールペーパーの上面から離れる方向で、かつ水平方向よりも下方に屈曲することを特徴とするロールペーパーホルダ。
【請求項２】
前記覆板は、前記端部の上面に曲面を備えた凸状帯を有することを特徴とする請求項１記載のロールペーパーホルダ。
【請求項３】
ロールペーパーを軸支する芯棒と、前記芯棒の両端を保持する保持部と、前記保持部に回動可能に軸支され前記ロールペーパーの上面を被覆する覆板とを有するロールペーパーホルダの前記覆板の少なくとも上面を被覆するロールペーパーホルダカバーであって、
前記ロールペーパーホルダカバーは、前記ロールペーパーをロールペーパーホルダカバーの上面に導く長孔と、前記覆板の保持部に軸支されない側のロールペーパーホルダカバーの端部に切断部とを備え、
前記ロールペーパーホルダカバーの切断部を備える端部は、前記ロールペーパーの上面から離れる方向で、かつ水平方向よりも下方に屈曲することを特徴とするロールペーパーホルダカバー。
【請求項４】
前記ロールペーパーホルダカバーは、前記端部の上面に曲面を備えた凸状帯を有することを特徴とする請求項３に記載のロールペーパーホルダカバー。
【手続補正２】
【補正対象書類名】明細書
【補正対象項目名】００１０
【補正方法】変更
【補正の内容】
【００１０】
本発明の請求項１に記載のロールペーパーホルダは、ロールペーパーを軸支する芯棒と、この芯棒の両端を保持する保持部と、保持部に回動可能に軸支されロールペーパーの上面を被覆する覆板とを有するロールペーパーホルダであって、覆板は、ロールペーパーを覆板の上面に導く長孔と、保持部に軸支されない側の端部に切断部とを備え、覆板の切断部を備える端部はロールペーパーの上面から離れる方向で、かつ水平方向よりも下方に屈曲することを特徴とするものである。
上記構成のロールペーパーホルダにおいて、覆板に穿設される長孔は、覆板の下面側に配置されるロールペーパーの端部を覆板の上面側に導出するという作用を有する。また、覆板の保持部に軸支されない側の端部をロールペーパーの上面から離れる方向に屈曲することで、この部分に接触するロールペーパーに剪断力を付与するという作用を有する。また、この端部が屈曲されていることから、剪断後のロールペーパーは覆板との間で浮き上がって隙間を生じるという作用を有する。
【手続補正３】
【補正対象書類名】明細書
【補正対象項目名】００１１
【補正方法】変更
【補正の内容】
【００１１】
また、請求項２に記載の発明であるロールペーパーホルダは、請求項１に記載のロールペーパーホルダであって、覆板は、端部の上面に曲面を備えた凸状帯を有することを特徴とするものである。
上記構成のロールペーパーホルダにおいて、覆板の端部上面に設けられる凸状帯はロールペーパーに当接し、この当接部分に生じる剪断力を緩和すると同時に前述の浮き上がって隙間を生じるという作用を有する。
【手続補正４】
【補正対象書類名】明細書
【補正対象項目名】００１２
【補正方法】変更
【補正の内容】
【００１２】
さらに、請求項３に記載の発明であるロールペーパーホルダカバーは、ロールペーパーを軸支する芯棒と、この芯棒の両端を保持する保持部と、保持部に回動可能に軸支されロールペーパーの上面を被覆する覆板とを有するロールペーパーホルダの覆板の少なくとも上面を被覆するロールペーパーホルダカバーであって、ロールペーパーホルダカバーは、ロールペーパーをロールペーパーホルダカバーの上面に導く長孔と、覆板の保持部に軸支されない側のロールペーパーホルダカバーの端部に切断部とを備え、ロールペーパーホルダカバーの切断部を備える端部は、ロールペーパーの上面から離れる方向で、かつ水平方向よりも下方に屈曲することを特徴とするものである。
上記構成のロールペーパーホルダカバーにおいて、ロールペーパーホルダカバーに穿設される長孔及びロールペーパーホルダカバーの端部の屈曲は、請求項１に記載の発明における長孔及び屈曲と同じ作用を有する。
【手続補正５】
【補正対象書類名】明細書
【補正対象項目名】００１３
【補正方法】変更
【補正の内容】
【００１３】
最後に、請求項４に記載のロールペーパーホルダカバーは、請求項３に記載のロールペーパーホルダカバーであって、ロールペーパーホルダカバーの端部の上面に曲面を備えた凸状帯を有することを特徴とするものである。
上記構成のロールペーパーホルダカバーにおける凸状帯は、請求項２に記載の発明の凸状帯と同じ作用を有する。
【手続補正書】
【提出日】平成18年2月14日(2006.2.14)
【手続補正１】
【補正対象書類名】特許請求の範囲
【補正対象項目名】全文
【補正方法】変更
【補正の内容】
【特許請求の範囲】
【請求項１】
ロールペーパーを軸支する芯棒と、前記芯棒の両端を保持する保持部と、前記保持部に回動可能に軸支され前記ロールペーパーの上面を被覆する覆板とを有するロールペーパーホルダであって、
前記覆板は、前記ロールペーパーを覆板の上面に導く長孔と、前記保持部に軸支されない側の端部に切断部とを備え、
前記覆板の切断部を備える端部は、前記長孔の下端から前記ロールペーパーの上面から離れる方向で、かつ水平方向よりも下方に屈曲することを特徴とするロールペーパーホルダ。
【請求項２】
ロールペーパーを軸支する芯棒と、前記芯棒の両端を保持する保持部と、前記保持部に回動可能に軸支され前記ロールペーパーの上面を被覆する覆板とを有するロールペーパーホルダであって、
前記覆板は、前記ロールペーパーを覆板の上面に導く長孔と、前記保持部に軸支されない側の端部に切断部とを備え、
前記覆板の切断部を備える端部は、前記ロールペーパーの上面から離れる方向で、かつ水平方向よりも下方に屈曲し、
前記覆板は、前記端部の上面に凸状帯を備え、
前記凸状帯は、その上面側に曲面を具備することを特徴とするロールペーパーホルダ。
【請求項３】
ロールペーパーを軸支する芯棒と、前記芯棒の両端を保持する保持部と、前記保持部に回動可能に軸支され前記ロールペーパーの上面を被覆する覆板とを有するロールペーパーホルダの前記覆板の少なくとも上面を被覆するロールペーパーホルダカバーであって、
前記ロールペーパーホルダカバーは、前記ロールペーパーをロールペーパーホルダカバーの上面に導く長孔と、前記覆板の保持部に軸支されない側のロールペーパーホルダカバーの端部に切断部とを備え、
前記ロールペーパーホルダカバーの切断部を備える端部は、前記長孔の下端から前記ロールペーパーの上面から離れる方向で、かつ水平方向よりも下方に屈曲することを特徴とするロールペーパーホルダカバー。
【請求項４】
ロールペーパーを軸支する芯棒と、前記芯棒の両端を保持する保持部と、前記保持部に回動可能に軸支され前記ロールペーパーの上面を被覆する覆板とを有するロールペーパーホルダの前記覆板の少なくとも上面を被覆するロールペーパーホルダカバーであって、
前記ロールペーパーホルダカバーは、前記ロールペーパーをロールペーパーホルダカバーの上面に導く長孔と、前記覆板の保持部に軸支されない側のロールペーパーホルダカバーの端部に切断部とを備え、
前記ロールペーパーホルダカバーの切断部を備える端部は、前記ロールペーパーの上面から離れる方向で、かつ水平方向よりも下方に屈曲し、
前記端部は上面に凸状帯を備え、
前記凸状帯は、その上面側に曲面を具備することを特徴とするロールペーパーホルダカバー。
【手続補正２】
【補正対象書類名】明細書
【補正対象項目名】００１０
【補正方法】変更
【補正の内容】
【００１０】
本発明の請求項１に記載のロールペーパーホルダは、ロールペーパーを軸支する芯棒と、この芯棒の両端を保持する保持部と、保持部に回動可能に軸支されロールペーパーの上面を被覆する覆板とを有するロールペーパーホルダであって、覆板は、ロールペーパーを覆板の上面に導く長孔と、保持部に軸支されない側の端部に切断部とを備え、覆板の切断部を備える端部は、長孔の下端からロールペーパーの上面から離れる方向で、かつ水平方向よりも下方に屈曲することを特徴とするものである。
上記構成のロールペーパーホルダにおいて、覆板に穿設される長孔は、覆板の下面側に配置されるロールペーパーの端部を覆板の上面側に導出するという作用を有する。また、覆板の保持部に軸支されない側の端部をロールペーパーの上面から離れる方向に屈曲することで、この部分に接触するロールペーパーに剪断力を付与するという作用を有する。また、この端部が屈曲されていることから、剪断後のロールペーパーは覆板との間で浮き上がって隙間を生じるという作用を有する。
【手続補正３】
【補正対象書類名】明細書
【補正対象項目名】００１１
【補正方法】変更
【補正の内容】
【００１１】
また、請求項２に記載の発明であるロールペーパーホルダは、ロールペーパーを軸支する芯棒と、芯棒の両端を保持する保持部と、保持部に回動可能に軸支されロールペーパーの上面を被覆する覆板とを有するロールペーパーホルダであって、覆板は、ロールペーパーを覆板の上面に導く長孔と、保持部に軸支されない側の端部に切断部とを備え、覆板の切断部を備える端部は、ロールペーパーの上面から離れる方向で、かつ水平方向よりも下方に屈曲し、覆板は、端部の上面に凸状帯を備え、凸状帯は、その上面側に曲面を具備することを特徴とするものである。
上記構成のロールペーパーホルダにおいて、覆板の端部上面に設けられる凸状帯はロールペーパーに当接し、この当接部分に生じる剪断力を緩和すると同時に前述の浮き上がって隙間を生じるという作用を有する。
【手続補正４】
【補正対象書類名】明細書
【補正対象項目名】００１２
【補正方法】変更
【補正の内容】
【００１２】
さらに、請求項３に記載の発明であるロールペーパーホルダカバーは、ロールペーパーを軸支する芯棒と、この芯棒の両端を保持する保持部と、保持部に回動可能に軸支されロールペーパーの上面を被覆する覆板とを有するロールペーパーホルダの覆板の少なくとも上面を被覆するロールペーパーホルダカバーであって、ロールペーパーホルダカバーは、ロールペーパーをロールペーパーホルダカバーの上面に導く長孔と、覆板の保持部に軸支されない側のロールペーパーホルダカバーの端部に切断部とを備え、ロールペーパーホルダカバーの切断部を備える端部は、長孔の下端からロールペーパーの上面から離れる方向で、かつ水平方向よりも下方に屈曲することを特徴とするものである。
上記構成のロールペーパーホルダカバーにおいて、ロールペーパーホルダカバーに穿設される長孔及びロールペーパーホルダカバーの端部の屈曲は、請求項１に記載の発明における長孔及び屈曲と同じ作用を有する。
【手続補正５】
【補正対象書類名】明細書
【補正対象項目名】００１３
【補正方法】変更
【補正の内容】
【００１３】
最後に、請求項４に記載のロールペーパーホルダカバーは、ロールペーパーを軸支する芯棒と、芯棒の両端を保持する保持部と、保持部に回動可能に軸支されロールペーパーの上面を被覆する覆板とを有するロールペーパーホルダの覆板の少なくとも上面を被覆するロールペーパーホルダカバーであって、ロールペーパーホルダカバーは、ロールペーパーをロールペーパーホルダカバーの上面に導く長孔と、覆板の保持部に軸支されない側のロールペーパーホルダカバーの端部に切断部とを備え、ロールペーパーホルダカバーの切断部を備える端部は、前記ロールペーパーの上面から離れる方向で、かつ水平方向よりも下方に屈曲し、端部の上面は凸状帯を備え、凸状帯は、その上面側に曲面を具備することを特徴とするものである。
上記構成のロールペーパーホルダカバーにおける凸状帯は、請求項２に記載の発明の凸状帯と同じ作用を有する。
【手続補正書】
【提出日】平成18年7月25日(2006.7.25)
【手続補正１】
【補正対象書類名】特許請求の範囲
【補正対象項目名】全文
【補正方法】変更
【補正の内容】
【特許請求の範囲】
【請求項１】
ロールペーパーを軸支する芯棒と、前記芯棒の両端を保持する保持部と、前記保持部に回動可能に軸支され前記ロールペーパーの上面を被覆する覆板とを有するロールペーパーホルダであって、
前記覆板は、前記ロールペーパーを覆板の上面に導く長孔と、前記保持部に軸支されない側の端部に切断部とを備え、
前記覆板の切断部を備える端部は、前記長孔の下端から前記ロールペーパーの上面から離れる方向で、かつ水平方向よりも下方に屈曲し、
この屈曲部分は、前記覆板の上面側又は下面側に垂設される側壁を備えることを特徴とするロールペーパーホルダ。
【請求項２】
ロールペーパーを軸支する芯棒と、前記芯棒の両端を保持する保持部と、前記保持部に回動可能に軸支され前記ロールペーパーの上面を被覆する覆板とを有するロールペーパーホルダであって、
前記覆板は、前記ロールペーパーを覆板の上面に導く長孔と、前記保持部に軸支されない側の端部に切断部とを備え、
前記覆板の切断部を備える端部は、前記ロールペーパーの上面から離れる方向で、かつ水平方向よりも下方に屈曲し、
この屈曲部分は、前記覆板の上面側又は下面側に垂設される側壁を備え、
前記覆板は、前記端部の上面に凸状帯を備え、
前記凸状帯は、その上面側に曲面を具備することを特徴とするロールペーパーホルダ。
【請求項３】
ロールペーパーを軸支する芯棒と、前記芯棒の両端を保持する保持部と、前記保持部に回動可能に軸支され前記ロールペーパーの上面を被覆する覆板とを有するロールペーパーホルダの前記覆板の少なくとも上面を被覆するロールペーパーホルダカバーであって、
前記ロールペーパーホルダカバーは、前記ロールペーパーをロールペーパーホルダカバーの上面に導く長孔と、前記覆板の保持部に軸支されない側のロールペーパーホルダカバーの端部に切断部とを備え、
前記ロールペーパーホルダカバーの切断部を備える端部は、前記長孔の下端から前記ロールペーパーの上面から離れる方向で、かつ水平方向よりも下方に屈曲し、
この屈曲部分は、前記ロールペーパーホルダカバーの上面側又は下面側に垂設される側壁を備えることを特徴とするロールペーパーホルダカバー。
【請求項４】
ロールペーパーを軸支する芯棒と、前記芯棒の両端を保持する保持部と、前記保持部に回動可能に軸支され前記ロールペーパーの上面を被覆する覆板とを有するロールペーパーホルダの前記覆板の少なくとも上面を被覆するロールペーパーホルダカバーであって、
前記ロールペーパーホルダカバーは、前記ロールペーパーをロールペーパーホルダカバーの上面に導く長孔と、前記覆板の保持部に軸支されない側のロールペーパーホルダカバーの端部に切断部とを備え、
前記ロールペーパーホルダカバーの切断部を備える端部は、前記ロールペーパーの上面から離れる方向で、かつ水平方向よりも下方に屈曲し、
この屈曲部分は、前記ロールペーパーホルダカバーの上面側又は下面側に垂設される側壁を備え、
前記端部は上面に凸状帯を備え、
前記凸状帯は、その上面側に曲面を具備することを特徴とするロールペーパーホルダカバー。
【手続補正２】
【補正対象書類名】明細書
【補正対象項目名】００１０
【補正方法】変更
【補正の内容】
【００１０】
本発明の請求項１に記載のロールペーパーホルダは、ロールペーパーを軸支する芯棒と、この芯棒の両端を保持する保持部と、保持部に回動可能に軸支されロールペーパーの上面を被覆する覆板とを有するロールペーパーホルダであって、覆板は、ロールペーパーを覆板の上面に導く長孔と、保持部に軸支されない側の端部に切断部とを備え、覆板の切断部を備える端部は、長孔の下端からロールペーパーの上面から離れる方向で、かつ水平方向よりも下方に屈曲し、この屈曲部分は、覆板の上面側又は下面側に垂設される側壁を備えることを特徴とするものである。
上記構成のロールペーパーホルダにおいて、覆板に穿設される長孔は、覆板の下面側に配置されるロールペーパーの端部を覆板の上面側に導出するという作用を有する。また、覆板の保持部に軸支されない側の端部をロールペーパーの上面から離れる方向に屈曲することで、この部分に接触するロールペーパーに剪断力を付与するという作用を有する。また、この端部が屈曲されていることから、剪断後のロールペーパーは覆板との間で浮き上がって隙間を生じるという作用を有する。
【手続補正３】
【補正対象書類名】明細書
【補正対象項目名】００１１
【補正方法】変更
【補正の内容】
【００１１】
また、請求項２に記載の発明であるロールペーパーホルダは、ロールペーパーを軸支する芯棒と、芯棒の両端を保持する保持部と、保持部に回動可能に軸支されロールペーパーの上面を被覆する覆板とを有するロールペーパーホルダであって、覆板は、ロールペーパーを覆板の上面に導く長孔と、保持部に軸支されない側の端部に切断部とを備え、覆板の切断部を備える端部は、ロールペーパーの上面から離れる方向で、かつ水平方向よりも下方に屈曲し、この屈曲部分は、覆板の上面側又は下面側に垂設される側壁を備え、覆板は、端部の上面に凸状帯を備え、凸状帯は、その上面側に曲面を具備することを特徴とするものである。
上記構成のロールペーパーホルダにおいて、覆板の端部上面に設けられる凸状帯はロールペーパーに当接し、この当接部分に生じる剪断力を緩和すると同時に前述の浮き上がって隙間を生じるという作用を有する。
【手続補正４】
【補正対象書類名】明細書
【補正対象項目名】００１２
【補正方法】変更
【補正の内容】
【００１２】
さらに、請求項３に記載の発明であるロールペーパーホルダカバーは、ロールペーパーを軸支する芯棒と、この芯棒の両端を保持する保持部と、保持部に回動可能に軸支されロールペーパーの上面を被覆する覆板とを有するロールペーパーホルダの覆板の少なくとも上面を被覆するロールペーパーホルダカバーであって、ロールペーパーホルダカバーは、ロールペーパーをロールペーパーホルダカバーの上面に導く長孔と、覆板の保持部に軸支されない側のロールペーパーホルダカバーの端部に切断部とを備え、ロールペーパーホルダカバーの切断部を備える端部は、長孔の下端からロールペーパーの上面から離れる方向で、かつ水平方向よりも下方に屈曲し、この屈曲部分は、ロールペーパーホルダカバーの上面側又は下面側に垂設される側壁を備えることを特徴とするものである。
上記構成のロールペーパーホルダカバーにおいて、ロールペーパーホルダカバーに穿設される長孔及びロールペーパーホルダカバーの端部の屈曲は、請求項１に記載の発明における長孔及び屈曲と同じ作用を有する。
【手続補正５】
【補正対象書類名】明細書
【補正対象項目名】００１３
【補正方法】変更
【補正の内容】
【００１３】
最後に、請求項４に記載のロールペーパーホルダカバーは、ロールペーパーを軸支する芯棒と、芯棒の両端を保持する保持部と、保持部に回動可能に軸支されロールペーパーの上面を被覆する覆板とを有するロールペーパーホルダの覆板の少なくとも上面を被覆するロールペーパーホルダカバーであって、ロールペーパーホルダカバーは、ロールペーパーをロールペーパーホルダカバーの上面に導く長孔と、覆板の保持部に軸支されない側のロールペーパーホルダカバーの端部に切断部とを備え、ロールペーパーホルダカバーの切断部を備える端部は、前記ロールペーパーの上面から離れる方向で、かつ水平方向よりも下方に屈曲し、この屈曲部分は、ロールペーパーホルダカバーの上面側又は下面側に垂設される側壁を備え、端部は上面に凸状帯を備え、凸状帯は、その上面側に曲面を具備することを特徴とするものである。
上記構成のロールペーパーホルダカバーにおける凸状帯は、請求項２に記載の発明の凸状帯と同じ作用を有する。